(57)【要約】【課題】吸熱効率を向上できる冷却装置、およびプロジェクタを提供する。【解決手段】冷却装置７１は、吸熱面７１１３Ａおよび放熱面７１１３Ｂを有するペルチェ素子７１１３と、吸熱面７１１３Ａに熱伝達可能に接続する吸熱側熱伝導性部材７１１１と、放熱面７１１３Ｂに熱伝達可能に接続する放熱側熱伝導性部材７１１５とを備える。吸熱側熱伝導性部材７１１１は、吸熱面７１１３Ａから離間した側の端面から面外方向に突出し、所定方向に延出する複数の吸熱側フィン部材７１１１Ｂを備える。放熱側熱伝導性部材７１１５は、放熱面７１１３Ｂから離間した側の端面から面外方向に突出し、所定方向に延出する複数の放熱側フィン部材７１１５Ｂを備える。複数の吸熱側フィン部材７１１１Ｂおよび複数の放熱側フィン部材７１１５Ｂは、平面視で互いに交差する方向にそれぞれ延出している。【選択図】図１６
2007334042.tif 000002
【特許請求の範囲】
【請求項１】
吸熱面および放熱面を有する熱電変換素子を備えた冷却装置であって、
前記吸熱面に熱伝達可能に接続する吸熱側熱伝導性部材と、前記放熱面に熱伝達可能に接続する放熱側熱伝導性部材とを備え、
前記吸熱側熱伝導性部材は、前記吸熱面から離間した側の端面から面外方向に突出し、所定方向に延出する複数の吸熱側フィン部材を備え、
前記放熱側熱伝導性部材は、前記放熱面から離間した側の端面から面外方向に突出し、所定方向に延出する複数の放熱側フィン部材を備え、
前記複数の吸熱側フィン部材および前記複数の放熱側フィン部材は、平面視で互いに交差する方向にそれぞれ延出していることを特徴とする冷却装置。
【請求項２】
請求項１に記載の冷却装置において、
前記複数の吸熱側フィン部材および前記複数の放熱側フィン部材は、平面視で互いに直交するようにそれぞれ延出していることを特徴とする冷却装置。
【請求項３】
請求項１または請求項２に記載の冷却装置において、
前記吸熱側熱伝導性部材および前記吸熱面の間に介在配置され、熱伝導性を有するスペーサを備えていることを特徴とする冷却装置。
【請求項４】
請求項３に記載の冷却装置において、
前記吸熱側熱伝導性部材および前記放熱側熱伝導性部材の間に介在配置され、前記スペーサおよび前記熱電変換素子を保持する熱伝達抑制部材を備え、
前記熱伝達抑制部材は、熱伝導率が０．９Ｗ／（ｍ・Ｋ）以下の材料で構成され、前記放熱側熱伝導性部材側に向けて窪み前記スペーサを収納可能とする凹部と、前記凹部の底面部分に形成され前記熱電変換素子を収納可能とする開口部とを有し、前記スペーサおよび前記熱電変換素子の双方の外縁部分を覆うように形成されていることを特徴とする冷却装置。
【請求項５】
請求項１から請求項４のいずれかに記載の冷却装置において、
前記複数の吸熱側フィン部材を囲み前記吸熱側フィン部材の延出方向に延出して、前記延出方向に空気を流通可能とする吸熱側ダクトを備え、
前記吸熱側ダクトは、熱伝導率が０．９Ｗ／（ｍ・Ｋ）以下の材料で構成されていることを特徴とする冷却装置。
【請求項６】
請求項１から請求項５のいずれかに記載の冷却装置において、
前記複数の放熱側フィン部材を囲み前記放熱側フィン部材の延出方向に延出して、前記延出方向に空気を流通可能とする放熱側ダクトを備え、
前記放熱側ダクトは、熱伝導率が４２Ｗ／（ｍ・Ｋ）以上の材料で構成されていることを特徴とする冷却装置。
【請求項７】
請求項１から請求項６のいずれかに記載の冷却装置において、
前記吸熱側熱伝導性部材および前記放熱側熱伝導性部材は、
前記吸熱側熱伝導性部材の表面積をＡ1とし、
前記放熱側熱伝導性部材の表面積をＡ2とし、
前記熱電変換素子の吸熱量をＱabとし、
前記熱電変換素子の放熱量をＱDとした場合に、
Ａ1：Ａ2＝Ｑab：ＱD
の関係を満たすように形成されていることを特徴とする冷却装置。
【請求項８】
請求項１から請求項７のいずれかに記載の冷却装置において、
前記放熱側熱伝導性部材に対向配置され、前記複数の放熱側フィン部材に空気を送風する冷却ファンを備え、
前記冷却ファンは、ファン回転軸方向に空気を吸入および吐出する軸流ファンで構成され、平面視で前記熱電変換素子の中心位置に対して前記ファン回転軸がずれた位置となるように配設されていることを特徴とする冷却装置。
【請求項９】
空気を流通可能とする環状の空気流通路を有する密閉構造内部に配置される光学部品と、前記環状の空気流通路の空気を循環させる循環ファンとを備えたプロジェクタであって、
前記密閉構造は、
前記光学部品を内部に収納配置するとともに、内部に空気を流入させるための流入口および外部に空気を流出させるための流出口を有する光学部品用筐体と、
前記流入口を介して前記光学部品用筐体内部に空気を導くとともに、前記流出口を介して前記光学部品用筐体内部から外部に流出した空気を再度、前記流入口を介して前記光学部品用筐体内部に導く複数のダクト部材と、
請求項１から請求項８のいずれかに記載の冷却装置とを含んで構成され、
前記冷却装置は、前記密閉構造内部に前記熱電変換素子の吸熱面が面し、前記密閉構造外部に前記熱電変換素子の放熱面が面するように配設されていることを特徴とするプロジェクタ。
【発明の詳細な説明】
【技術分野】
【０００１】
本発明は、冷却装置、およびプロジェクタに関する。
【背景技術】
【０００２】
従来、光源装置と、光源装置から射出された光束を画像情報に応じて変調して光学像を形成する光変調装置と、光学像を拡大投射する投射光学装置とを備えたプロジェクタが知られている。
このプロジェクタにおいて、光変調装置の表面に塵埃、油煙等が付着すると、投影画像の画質が劣化してしまう。また、液晶パネル等の光変調装置は、一般的に熱に弱いため、光源装置からの光束の照射による発熱により、熱劣化が生じる恐れがある。
そこで、投影画像の画質を安定に確保し、光変調装置を効率的に冷却するために、光変調装置を密閉構造内部に配置し、密閉構造内部の空気を循環ファンにて循環させつつ、ペルチェ素子等の熱電変換素子を用いた冷却装置により密閉構造内部の空気の熱を密閉構造外部に放熱する構造が提案されている（例えば、特許文献１参照）。
【０００３】
【特許文献１】特開２０００−２９８３１１号公報
【発明の開示】
【発明が解決しようとする課題】
【０００４】
ところで、特許文献１に記載の冷却装置は、熱電変換素子と、熱電変換素子を挟持する２つの伝熱部材と、放熱側に配置される伝熱部材を冷却する冷却ファンとで構成されている。そして、２つの伝熱部材のうち、密閉構造内部に設けられる伝熱部材は、伝熱性を有するアルミニウム製の板状部材で構成されている。また、密閉構造外部に設けられる伝熱部材は、伝熱性を有するアルミニウム製の放熱フィンで構成されている。
このような構成では、密閉構造内部に設けられる伝熱部材の表面積が比較的に小さいため、該伝熱部材により、密閉構造内部の空気の熱を良好に吸熱することが難しい。すなわち、伝熱部材を介して熱電変換素子の吸熱面に伝達される吸熱量が比較的に小さいものとなり、冷却装置において、熱電変換素子の消費電力に対する冷却対象（密閉構造内部の空気）から吸熱する吸熱量の比率（吸熱効率）を向上することが難しい。
【０００５】
本発明の目的は、吸熱効率を向上できる冷却装置、およびプロジェクタを提供することにある。
【課題を解決するための手段】
【０００６】
本発明の冷却装置は、吸熱面および放熱面を有する熱電変換素子を備えた冷却装置であって、前記吸熱面に熱伝達可能に接続する吸熱側熱伝導性部材と、前記放熱面に熱伝達可能に接続する放熱側熱伝導性部材とを備え、前記吸熱側熱伝導性部材は、前記吸熱面から離間した側の端面から面外方向に突出し、所定方向に延出する複数の吸熱側フィン部材を備え、前記放熱側熱伝導性部材は、前記放熱面から離間した側の端面から面外方向に突出し、所定方向に延出する複数の放熱側フィン部材を備え、前記複数の吸熱側フィン部材および前記複数の放熱側フィン部材は、平面視で互いに交差する方向にそれぞれ延出していることを特徴とする。
本発明によれば、熱電変換素子の吸熱面に吸熱側熱伝導性部材が熱伝達可能に接続し、吸熱側熱伝導性部材が複数の吸熱側フィン部材を備えているので、従来のような板状部材で構成された伝熱部材と比較して、吸熱側熱伝導性部材の表面積を大きくできる。このため、冷却対象から吸熱側熱伝導性部材を介して熱電変換素子の吸熱面に伝達される吸熱量を比較的に大きいものとし、冷却装置において、吸熱効率を向上することができる。
また、例えば、冷却装置において、放熱側熱伝導性部材を冷却ファンにより冷却する構成とした場合には、吸熱効率を向上することができるため、冷却ファンの回転数を必要以上に増加させる必要がなく、低騒音化が図れる。また、熱電変換素子の消費電力を必要以上に増加させる必要がなく、省電力化が図れる。
【０００７】
ところで、複数の吸熱側フィン部材間を流通する空気の風速にばらつきが生じている場合には、吸熱側熱伝導性部材において、複数の吸熱側フィン部材間のうち少なくともいずれかの吸熱側フィン部材間を流通する空気から吸熱する熱量が多くなり、他の吸熱側フィン部材間を流通する空気から吸熱する熱量が少なくなる。すなわち、複数の吸熱側フィン部材間毎に、吸熱する熱量に分布が生じる。
また、複数の放熱側フィン部材間を流通する空気の風速にばらつきが生じている場合も同様に、放熱側熱伝導性部材において、複数の放熱側フィン部材間のうち少なくともいずれかの放熱側フィン部材間を流通する空気に放熱する熱量が多くなり、他の放熱側フィン部材間を流通する空気に放熱する熱量が少なくなる。すなわち、複数の放熱側フィン部材間毎に、放熱する熱量に分布が生じる。
【０００８】
ここで、複数の吸熱側フィン部材の延出方向と複数の放熱側フィン部材の延出方向とを同一に設定してしまうと、吸熱側熱伝導性部材における吸熱する熱量が多い部分と、放熱側熱伝導性部材における放熱する熱量が多い部分とが平面的に重ならない場合が生じる。このような場合には、吸熱側熱伝導性部材における吸熱する熱量が多い部分から、放熱側熱伝導性部材における放熱する熱量が少ない部分へと熱が移動することとなり、冷却装置において、吸熱効率を十分に確保できない。
【０００９】
本発明では、複数の吸熱側フィン部材および複数の放熱側フィン部材は、平面視で互いに交差する方向にそれぞれ延出している。このことにより、上述したような場合であっても、吸熱側熱伝導性部材における吸熱する熱量が多い部分の少なくとも一部と、放熱側熱伝導性部材における放熱する熱量が多い部分の少なくとも一部とを平面的に重ねることが可能となる。このため、吸熱側熱伝導性部材における吸熱する熱量が多い部分から、放熱側熱伝導性部材における放熱する熱量が多い部分へと熱が移動可能となり、冷却装置において、吸熱効率を十分に確保できる。
【００１０】
本発明の冷却装置では、前記複数の吸熱側フィン部材および前記複数の放熱側フィン部材は、平面視で互いに直交するようにそれぞれ延出していることが好ましい。
本発明によれば、複数の吸熱側フィン部材および複数の放熱側フィン部材が平面視で互いに直交するようにそれぞれ延出しているので、上述したような場合であっても、吸熱側熱伝導性部材における吸熱する熱量が多い部分の少なくとも一部と、放熱側熱伝導性部材における放熱する熱量が多い部分の少なくとも一部とを平面的に確実に重ねることができる。このため、吸熱側熱伝導性部材における吸熱する熱量が多い部分から、放熱側熱伝導性部材における放熱する熱量が多い部分へと熱が移動することとなり、冷却装置において、吸熱効率を十分に確保できるという効果を好適に図れる。
【００１１】
本発明の冷却装置では、前記吸熱側熱伝導性部材および前記吸熱面の間に介在配置され、熱伝導性を有するスペーサを備えていることが好ましい。
ところで、熱電変換素子としては、一般的に、熱電変換性能の関係により、その厚みが約４ｍｍと薄いものである。そして、熱電変換素子の吸熱面および放熱面に直接、吸熱側熱伝導性部材および放熱側熱伝導性部材を取り付けた場合には、吸熱側熱伝導性部材および放熱側熱伝導性部材が近接し、放熱側熱伝導性部材の熱が吸熱側熱伝導性部材に移動しやすい。このため、吸熱側フィン部材による冷却対象である空気から吸熱する吸熱量が低下し、冷却装置において、吸熱効率を十分に確保できない。
本発明では、吸熱側熱伝導性部材および吸熱面の間に熱伝導性を有するスペーサが介在配置されているので、吸熱側熱伝導性部材と放熱側熱伝導性部材とを所定間隔、離間することができる。このため、放熱側熱伝導性部材の熱が吸熱側熱伝導性部材に移動することを抑制し、吸熱側フィン部材による冷却対象である空気から吸熱する吸熱量を維持し、冷却装置において、吸熱効率を十分に確保できる。
【００１２】
ところで、吸熱側熱伝導性部材と放熱側熱伝導性部材とを所定間隔、離間するためには、スペーサを、放熱側熱伝導性部材と熱電変換素子の放熱面との間に介在配置する構成も考えられる。しかしながら、このような構成では、以下の問題が生じる。
一般的に、熱電変換素子の放熱面と吸熱面との温度差が小さい方が、吸熱効率を向上できることが知られている。また、一般的に、吸熱面による吸熱量をＱabとすると、放熱面から放熱される放熱量ＱDは、熱電変換素子への投入電力（消費電力）Ｐが加わるため、Ｑab＋Ｐとなる。すなわち、吸熱側での貫流熱量がＱabだけであるのに対して、放熱側での貫流熱量は、Ｑab＋Ｐという大きな熱量となる。したがって、放熱側熱伝導性部材と放熱面との間に所定の熱抵抗を有するスペーサを介在配置した場合には、放熱面の温度が大きくなりやすく、放熱面と吸熱面との温度差を小さくすることが難しい。すなわち、吸熱効率を向上することが難しい。
本発明では、吸熱側熱伝導性部材と吸熱面との間にスペーサが介在配置されているので、上述した構成と比較して、放熱面の温度を大きくすることなく、放熱面と吸熱面との温度差を小さくでき、すなわち、吸熱効率を向上できる。
【００１３】
本発明の冷却装置では、前記吸熱側熱伝導性部材および前記放熱側熱伝導性部材の間に介在配置され、前記スペーサおよび前記熱電変換素子を保持する熱伝達抑制部材を備え、前記熱伝達抑制部材は、熱伝導率が０．９Ｗ／（ｍ・Ｋ）以下の材料で構成され、前記放熱側熱伝導性部材側に向けて窪み前記スペーサを収納可能とする凹部と、前記凹部の底面部分に形成され前記熱電変換素子を収納可能とする開口部とを有し、前記スペーサおよび前記熱電変換素子の双方の外縁部分を覆うように形成されていることが好ましい。
本発明によれば、冷却装置は、吸熱側熱伝導性部材および放熱側熱伝導性部材の間に、上述したような熱伝導率の十分に低い材料で構成された熱伝達抑制部材が介在配置されているので、スペーサにより吸熱側熱伝導性部材および放熱側熱伝導性部材を所定間隔、離間することに加えて、熱伝達抑制部材により、放熱側熱伝導性部材の熱が吸熱側熱伝導性部材に移動することをより抑制できる。このため、吸熱側フィン部材による冷却対象である空気から吸熱する吸熱量を良好に維持し、冷却装置において、吸熱効率を十分に確保できるという効果を好適に図れる。
また、熱伝達抑制部材は、スペーサおよび熱電変換素子の双方の外縁部分を覆うように形成されているので、放熱側熱伝導性部材の熱がスペーサや熱電変換素子に移動することも抑制できる。このため、冷却対象である空気から吸熱側フィン部材およびスペーサを介して吸熱面に伝達される吸熱量をより良好に維持し、冷却装置において、吸熱効率を十分に確保できるという効果をより好適に図れる。
【００１４】
本発明の冷却装置では、前記複数の吸熱側フィン部材を囲み前記吸熱側フィン部材の延出方向に延出して、前記延出方向に空気を流通可能とする吸熱側ダクトを備え、前記吸熱側ダクトは、熱伝導率が０．９Ｗ／（ｍ・Ｋ）以下の材料で構成されていることが好ましい。
本発明によれば、冷却装置は、上述したような熱伝導率が十分に低い材料で構成された吸熱側ダクトを備えているので、冷却対象である吸熱側ダクト内部の空気に対して、吸熱側ダクト外部の空気や部材の熱が吸熱側ダクトを介して伝達されることを抑制できる。したがって、冷却装置により、冷却対象である吸熱側ダクト内部の空気を十分に冷却できる。
【００１５】
本発明の冷却装置では、前記複数の放熱側フィン部材を囲み前記放熱側フィン部材の延出方向に延出して、前記延出方向に空気を流通可能とする放熱側ダクトを備え、前記放熱側ダクトは、熱伝導率が４２Ｗ／（ｍ・Ｋ）以上の材料で構成されていることが好ましい。
本発明によれば、冷却装置は、上述したような熱伝導率が十分に高い材料で構成された放熱側ダクトを備えているので、放熱側フィン部材から放熱側ダクト内部の空気に伝達された熱を、放熱側ダクトを介して外部に放熱できる。したがって、放熱側フィン部材の放熱特性を良好にでき、例えば、冷却装置において、放熱側熱伝導性部材を冷却ファンにより冷却する構成とした場合には、冷却ファンの回転数を必要以上に増加させる必要がなく、低騒音化が図れる。
【００１６】
本発明の冷却装置では、前記吸熱側熱伝導性部材および前記放熱側熱伝導性部材は、前記吸熱側熱伝導性部材の表面積をＡ1とし、前記放熱側熱伝導性部材の表面積をＡ2とし、前記熱電変換素子の吸熱量をＱabとし、前記熱電変換素子の放熱量をＱDとした場合に、以下の式（１）の関係を満たすように形成されていることが好ましい。
【００１７】
（数１）
Ａ1：Ａ2＝Ｑab：ＱD  ・・・（１）
【００１８】
ところで、上述したように、放熱面から放熱される放熱量ＱDは、吸熱面による吸熱量Ｑabに熱電変換素子への投入電力（消費電力）Ｐを加えたものであり、吸熱量Ｑabに比べて大きいものである。したがって、例えば、吸熱側熱伝導性部材の表面積を、放熱側熱伝導性部材の表面積以上に設定した場合には、放熱側熱伝導性部材を介して放熱面から放熱される比較的に大きい放熱量ＱDを外部の空気に良好に放熱することが難しい。そして、このような場合には、例えば、放熱側熱伝導性部材を冷却する冷却ファンの回転数を増加させる必要があり、低騒音化が図りにくい。
本発明では、吸熱側熱伝導性部材および放熱側熱伝導性部材は、上記式（１）の関係を満たすように形成されているので、放熱側熱伝導性部材を介して放熱面から放熱される比較的に大きい放熱量ＱDを外部の空気に良好に放熱できる。このため、例えば、放熱側熱伝導性部材を冷却する冷却ファンの回転数を必要以上に増加させる必要がなく、低騒音化が図れる。
【００１９】
本発明の冷却装置では、前記放熱側熱伝導性部材に対向配置され、前記複数の放熱側フィン部材に空気を送風する冷却ファンを備え、前記冷却ファンは、ファン回転軸方向に空気を吸入および吐出する軸流ファンで構成され、平面視で前記熱電変換素子の中心位置に対して前記ファン回転軸がずれた位置となるように配設されていることが好ましい。
ところで、軸流ファンは、ファン回転軸よりもファンを構成する複数の羽根板の先端側の方が吐出される空気の風速が大きいものである。
本発明では、冷却ファンは、平面視で熱電変換素子の中心位置に対してファン回転軸がずれた位置となるように配設されている。このことにより、放熱側熱伝導性部材において、冷却ファンから吐出される大きい風速を有する空気が吹き付けられる部分に、熱電変換素子が配置されていることとなる。このため、放熱側熱伝導性部材において、熱電変換素子の放熱面から伝達され高温化した部分を冷却ファンにより効果的に冷却することができる。
【００２０】
本発明のプロジェクタは、空気を流通可能とする環状の空気流通路を有する密閉構造内部に配置される光学部品と、前記環状の空気流通路の空気を循環させる循環ファンとを備えたプロジェクタであって、前記密閉構造は、前記光学部品を内部に収納配置するとともに、内部に空気を流入させるための流入口および外部に空気を流出させるための流出口を有する光学部品用筐体と、前記流入口を介して前記光学部品用筐体内部に空気を導くとともに、前記流出口を介して前記光学部品用筐体内部から外部に流出した空気を再度、前記流入口を介して前記光学部品用筐体内部に導く複数のダクト部材と、上述した冷却装置と含んで構成され、前記冷却装置は、前記密閉構造内部に前記熱電変換素子の吸熱面が面し、前記密閉構造外部に前記熱電変換素子の放熱面が面するように配設されていることを特徴とする。
本発明によれば、プロジェクタは、上述した吸熱効率の向上した冷却装置を備えているので、冷却装置により冷却対象である空気流通路を辿る空気を効果的に冷却し、すなわち、光学部品用筐体内部に収納配置された光学部品を効果的に冷却できる。
また、密閉構造を構成する光学部品用筐体内部に光変調装置等の光学部品が収納配置されているので、光学部品に塵埃、油煙等が付着することを防止でき、プロジェクタから投射される投影画像の画質を安定に確保できる。
【発明を実施するための最良の形態】
【００２１】
[第１実施形態]
以下、本発明の第１実施形態を図面に基づいて説明する。
〔１．外観構成〕
図１は、第１実施形態におけるプロジェクタ１の外観を示す斜視図である。具体的に、図１は、プロジェクタ１を前面上方側から見た斜視図である。なお、図１では、説明の便宜上、光学像の投射方向をＺ軸とし、該Ｚ軸に直交する２軸をそれぞれＸ軸（水平軸）およびＹ軸（垂直軸）とする。以下の図面も同様である。
プロジェクタ１は、光源から射出された光束を画像情報に応じて変調して光学像を形成し、形成した光学像をスクリーン（図示略）上に拡大投射するものである。このプロジェクタ１は、図１に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された光学像を拡大投射する。この投射レンズ３は、複数のレンズの相対位置を変更するレバー３Ａを備え、投射される光学像のフォーカス調整および倍率調整可能に構成されている。
【００２２】
外装筺体２は、合成樹脂製の筺体であり、プロジェクタ１の装置本体を収納する。この外装筺体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２と、装置本体の前面部分の一部を覆うフロントケース２３とを備える。
【００２３】
アッパーケース２１の上面部分において、＋Ｘ軸方向側（前方から見て右側）には、図１に示すように、外装筺体２の内部側に窪む凹部２１１が形成され、凹部２１１の底部分に内部と貫通する開口部２１１Ａを有している。そして、この開口部２１１Ａを介して、投射レンズ３のレバー３Ａが露出し、レバー３Ａの操作が可能となる。
また、アッパーケース２１の上面部分において、平面視略中央部分には、図１に示すように、プロジェクタ１の起動・調整操作を実施する操作パネル２１２が左右方向に延びるように設けられている。操作パネル２１２の操作ボタン２１２Ａを適宜押下すると、操作ボタン２１２Ａ内部に配置される図示しない回路基板に実装されたタクトスイッチと接触し、所望の操作が可能となる。
なお、前述した操作パネル２１２の回路基板は、後述する制御基板と電気的に接続され、操作ボタン２１２Ａの押下に伴う操作信号は、制御基板に出力される。
【００２４】
また、アッパーケース２１の背面部分において、−Ｘ軸方向側（後方から見て右側）には、具体的な図示は省略するが、外装筺体２の内外を連通する電源用吸気口が形成されている。この電源用吸気口は、外装筺体２外部の冷却空気を外装筺体２内部に取り込むための開口であり、外装筐体２内部の装置本体を構成する後述する筐体内部冷却装置により、該電源用吸気口を介して外装筺体２外部の冷却空気が内部に導入され、装置本体を構成する電源ユニットに送風される。
【００２５】
図２は、ロアーケース２２およびフロントケース２３を前面下方側から見た斜視図である。
ロアーケース２２の底面部分において、−Ｘ軸方向側には、図２に示すように、平面視矩形状の開口２２１が形成され、該開口２２１に着脱自在に平面視矩形板状の蓋体２２２が取り付けられている。
そして、具体的な図示は省略するが、蓋体２２２をロアーケース２２から取り外した場合には、外装筺体２内部の装置本体を構成する後述する光源装置の一部が露出し、開口２２１を介して前記光源装置を交換可能とする。
また、ロアーケース２２の底面部分において、開口２２１に対して−Ｚ軸方向側（背面側）には、図２に示すように、外装筺体２の内外を連通する光源用吸気口２２３が形成されている。
この光源用吸気口２２３は、外装筺体２外部の冷却空気を外装筺体２内部に取り込むための開口であり、外装筺体２内部の装置本体を構成する後述する筐体内部冷却装置により、該光源用吸気口２２３を介して外装筺体２外部の冷却空気が内部に導入され、前記光源装置に送風される。
【００２６】
また、ロアーケース２２における＋Ｘ軸方向側の側面部分において、＋Ｚ軸方向側（前面側）には、図２に示すように、外装筺体２の内外を連通する冷却装置用吸気口２２４が形成されている。
この冷却装置用吸気口２２４は、外装筺体２外部の冷却空気を外装筺体２内部に取り込むための開口であり、外装筺体２内部の装置本体を構成する後述する密閉循環空冷ユニットにより、該冷却装置用吸気口２２４を介して外装筺体２外部の冷却空気が内部に導入され、前記密閉循環空冷ユニットを構成するペルチェユニットの放熱側に送風される。
【００２７】
また、ロアーケース２２における背面部分において、−Ｘ軸方向側には、外装筺体２の内外を連通する電源用吸気口２２５（図３ないし図５参照）が形成されている。この電源用吸気口２２５は、アッパーケース２１に形成された電源用吸気口と同様に、前記筺体内部冷却装置により、電源用吸気口２２５を介して外装筺体２外部の冷却空気を内部の前記電源ユニットに送風するための開口である。
【００２８】
フロントケース２３において、＋Ｘ軸方向側には、図１または図２に示すように、円孔２３１が形成され、円孔２３１を介して投射レンズ３の先端部分が露出する。すなわち、円孔２３１を介して投射レンズ３から光学像が拡大投射されてスクリーン上に投影される。
また、フロントケース２３において、Ｘ軸方向略中央部分には、図１または図２に示すように、リモコン受光窓２３２が形成されている。そして、このリモコン受光窓２３２の内側には、図示しないリモートコントローラからの操作信号を受信する図示しないリモコン受光モジュールが配置されている。
なお、リモートコントローラには、前述した操作パネル２１２に設けられる起動スイッチ、調整スイッチ等と同様のものが設けられ、リモートコントローラを操作すると、この操作に応じた赤外線信号がリモートコントローラから出力され、赤外線信号は、リモコン受光窓２３２を介してリモコン受光モジュールで受光され、後述する制御基板で処理される。
【００２９】
さらに、フロントケース２３において、−Ｘ軸方向側には、図１または図２に示すように、外装筺体２内部の空気を外部に排出するための排気口２３３が形成されている。この排気口２３３には、図１または図２に示すように、複数の整流板２３４Ａが格子状に配列したルーバ２３４が設けられている。複数の整流板２３４Ａは、図１または図２に示すように、その板面がＹＺ平面に対して投射レンズ３から離間する方向に所定角度、傾斜するように形成されている。そして、前記筺体内部冷却装置により、外装筺体２内部の空気が排気口２３３およびルーバ２３４を介して、投射レンズ３から離間する方向に整流されて排気される。
【００３０】
〔２．内部構成〕
図３ないし図６は、プロジェクタ１の内部構成を示す図である。具体的に、図３は、図１の状態からアッパーケース２１を取り外した状態を示す図である。図４は、図３の状態から制御基板６を取り外した状態を示す図である。図５は、図４の状態を背面側から見た斜視図である。図６は、プロジェクタ１における制御基板６を除く装置本体を下方側から見た斜視図である。
外装筺体２の内部には、図３ないし図６に示すように、プロジェクタ１の装置本体が収容されており、この装置本体は、光学ユニット４と、電源ユニット５と、制御基板６（図３）と、密閉循環空冷ユニット７（図４〜図６）と、筺体内部冷却装置８とを備える。
【００３１】
〔2-1．光学ユニットの構成〕
図７ないし図９は、光学ユニット４の構成を示す図である。具体的に、図７は、図４の状態から筺体内部冷却装置８を構成するペルチェ放熱風排気ユニット８１および密閉循環空冷ユニット７における流路後段側ダクト部材７４を取り外した状態を示す図である。図８は、図６の状態から密閉循環空冷ユニット７における流路前段側ダクト部材７３を取り外した状態を示す図である。図９は、光学ユニット４の光学系を模式的に示す平面図である。
光学ユニット４は、制御基板６による制御の下、画像情報に応じて画像光を形成するものであり、図７に示すように、外装筺体２の前面側から背面側に向けてＺ軸方向に延出し、−Ｚ軸方向端部が＋Ｘ軸方向に屈曲して延出し、さらに、＋Ｚ軸方向に屈曲して延出する平面視略Ｕ字形状を有している。この光学ユニット４は、図９に示すように、光源装置４１と、均一照明光学系４２と、色分離光学系４３と、リレー光学系４４と、光学装置４５と、光学部品用筐体４６とを備える。
【００３２】
光源装置４１は、光源ランプ４１１から放射された光束を一定方向に揃えて射出し、光学装置４５を照明するものである。この光源装置４１は、図９に示すように、光源ランプ４１１、リフレクタ４１２、およびこれらを保持するランプハウジング４１３（図８）を備えて構成される。この光源装置４１は、光学部品用筐体４６に接続する光源装置収納部４６１１（図８）に収納配置される。光源装置４１は、光源装置収納部４６１１に収納配置されることで、光学部品用筐体４６に対する所定位置（光源装置４１から射出される光束の中心軸と光学部品用筐体４６内に設定された照明光軸Ａとが一致する位置）に位置決めされる。
光源ランプ４１１としては、ハロゲンランプやメタルハライドランプ、または高圧水銀ランプが用いられることが多い。
リフレクタ４１２としては、光源ランプ４１１から射出された光束を略平行化して反射するパラボラリフレクタを用いている。なお、リフレクタ４１２としては、パラボラリフレクタの他、平行化レンズと組み合わせて、光源ランプ４１１から射出された光束を所定位置に収束するように反射する楕円面リフレクタを用いてもよい。
【００３３】
均一照明光学系４２は、光源装置４１から射出された光束を複数の部分光束に分割し、照明領域の面内照度を均一化する光学系である。この均一照明光学系４２は、図９に示すように、第１レンズアレイ４２１と、第２レンズアレイ４２２と、偏光変換素子４２３と、反射ミラー４２４と、重畳レンズ４２５とを備える。
第１レンズアレイ４２１は、光源装置４１から射出された光束を複数の部分光束に分割する光束分割光学素子としての機能を有し、照明光軸Ａと直交する面内にマトリクス状に配列される複数の小レンズを備えて構成される。
第２レンズアレイ４２２は、上述した第１レンズアレイ４２１により分割された複数の部分光束を集光する光学素子であり、第１レンズアレイ４２１と同様に照明光軸Ａに直交する面内にマトリクス状に配列される複数の小レンズを備えた構成を有している。
【００３４】
偏光変換素子４２３は、第１レンズアレイ４２１により分割された各部分光束の偏光方向を略一方向の直線偏光に揃える偏光変換素子である。
この偏光変換素子４２３は、図示を略したが、照明光軸Ａに対して傾斜配置される偏光分離膜および反射膜を交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射膜によって曲折され、一方の偏光光束の射出方向、すなわち照明光軸Ａに沿った方向に射出される。射出された偏光光束のいずれかは、偏光変換素子４２３の光束射出面に設けられる位相差板によって偏光変換され、略全ての偏光光束の偏光方向が揃えられる。このような偏光変換素子４２３を用いることにより、光源装置４１から射出される光束を、略一方向の偏光光束に揃えることができるため、光学装置４５で利用する光源光の利用率を向上することができる。
【００３５】
重畳レンズ４２５は、第１レンズアレイ４２１、第２レンズアレイ４２２、偏光変換素子４２３、および反射ミラー４２４を経た複数の部分光束を集光して光学装置４５の後述する３つの液晶パネルの画像形成領域上に重畳させる光学素子である。
【００３６】
色分離光学系４３は、図９に示すように、２枚のダイクロイックミラー４３１，４３２と、反射ミラー４３３とを備え、ダイクロイックミラー４３１，４３２により均一照明光学系４２から射出された複数の部分光束を、赤（Ｒ）、緑（Ｇ）、青（Ｂ）の３色の色光に分離する機能を具備する。
ダイクロイックミラー４３１，４３２は、基板上に所定の波長領域の光束を反射し、他の波長領域の光束を透過する波長選択膜が形成された光学素子である。そして、光路前段に配置されるダイクロイックミラー４３１は、青色光を反射し、その他の色光を透過するミラーである。また、光路後段に配置されるダイクロイックミラー４３２は、緑色光を反射し、赤色光を透過するミラーである。
リレー光学系４４は、入射側レンズ４４１、リレーレンズ４４３、および反射ミラー４４２，４４４を備え、色分離光学系４３のダイクロイックミラー４３１，４３２を透過した赤色光を光学装置４５まで導く機能を有している。なお、赤色光の光路にこのようなリレー光学系４４が設けられているのは、赤色光の光路の長さが他の色光の光路の長さよりも長いため、光の発散等による光の利用効率の低下を防止するためである。本実施形態においては赤色光の光路の長さが長いのでこのような構成とされているが、青色光の光路の長さを長くしてリレー光学系４４を青色光の光路に用いる構成も考えられる。
【００３７】
上述したダイクロイックミラー４３１により分離された青色光は、反射ミラー４３３により曲折された後、フィールドレンズ４５５を介して光学装置４５に供給される。また、ダイクロイックミラー４３２により分離された緑色光は、そのままフィールドレンズ４５５を介して光学装置４５に供給される。さらに、赤色光は、リレー光学系４４を構成するレンズ４４１，４４３および反射ミラー４４２，４４４により集光、曲折されてフィールドレンズ４５５を介して光学装置４５に供給される。なお、光学装置４５の各色光の光路前段に設けられるフィールドレンズ４５５は、第２レンズアレイ４２２から射出された各部分光束を、各部分光束の主光線に対して平行な光束に変換するために設けられている。
【００３８】
光学装置４５は、入射した光束を画像情報に応じて変調してカラー画像を形成するものである。この光学装置４５は、図９に示すように、照明対象となる光変調装置としての３つの液晶パネル４５１（赤色光側の液晶パネルを４５１Ｒ、緑色光側の液晶パネルを４５１Ｇ、青色光側の液晶パネルを４５１Ｂとする）と、クロスダイクロイックプリズム４５３とを備えて構成される。なお、フィールドレンズ４５５および各液晶パネル４５１の間には、入射側偏光板４５２が介在配置され、各液晶パネル４５１およびクロスダイクロイックプリズム４５３の間には、射出側偏光板４５４が介在配置され、入射側偏光板４５２、液晶パネル４５１、および射出側偏光板４５４によって入射する各色光の光変調が行われる。
【００３９】
液晶パネル４５１は、一対の透明なガラス基板に電気光学物質である液晶を密閉封入したものであり、例えば、ポリシリコンＴＦＴ（Thin Film Transistor）をスイッチング素子として、与えられた画像信号にしたがって、入射側偏光板４５２から射出された偏光光束の偏光方向を変調する。
クロスダイクロイックプリズム４５３は、射出側偏光板４５４から射出された色光毎に変調された光学像を合成してカラー画像を形成する光学素子である。このクロスダイクロイックプリズム４５３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光および青色光は曲折され、緑色光の進行方向と揃えられることにより、３つの色光が合成される。
【００４０】
光学部品用筐体４６は、図９に示すように、平面視Ｕ字形状を有し、内部に所定の照明光軸Ａが設定され、上述した各光学系４１〜４５を照明光軸Ａに対する所定位置に配置する。この光学部品用筐体４６は、図７または図８に示すように、部品収納部材４６１と、蓋状部材４６２とを備える。
部品収納部材４６１は、図８に示すように、光源装置収納部４６１１と、部品収納部本体４６１２とで構成される。
【００４１】
光源装置収納部４６１１は、図８に示すように、光学部品用筐体４６のＵ字形状一端側に位置し、−Ｙ軸方向側（下方側）に開口部４６１１Ａを有する容器状に形成され、開口部４６１１Ａを介して内部に光源装置４１を着脱自在に構成されている。
この光源装置収納部４６１１において、Ｘ軸方向に交差する各側面（光学部品用筐体４６のＵ字形状内側および外側に面する側面）には、図８に示すように、開口部４６１１Ｂ（図８では、Ｕ字形状内側の側面に形成された開口部のみを図示）が形成されている。これら開口部４６１１Ｂにより、光源装置収納部４６１１内部に空気を流通可能とし、内部に配置される光源装置４１を冷却可能とする。
【００４２】
部品収納部本体４６１２は、＋Ｙ軸方向側（上方側）に開口部（図示略）を有する容器状に形成され、前記開口部を介して、光源装置収納部４６１１と接続する一端側から順に各光学系４２，４３が収納配置され、前記一端側とは反対側の他端側に光学装置４５が収納配置される。
この部品収納部本体４６１２において、−Ｙ軸方向端面には、図８に示すように、光学装置４５を構成する各液晶パネル４５１Ｒ，４５１Ｇ，４５１Ｂの配置位置に対応した位置にそれぞれ開口部４６１２Ｒ，４６１２Ｇ，４６１２Ｂが形成されている。
また、部品収納部本体４６１２において、−Ｙ軸方向端面には、図８に示すように、偏光変換素子４２３の配置位置に対応した位置に開口部４６１２Ｐが形成されている。
これら各開口部４６１２Ｒ，４６１２Ｇ，４６１２Ｂ，４６１２Ｐは、光学部品用筐体４６内部における光学装置４５の配置位置の空間Ａｒ１（図９）、および偏光変換素子４２３の配置位置の空間Ａｒ２（図９）に空気を流入させる流入口として機能する。
【００４３】
蓋状部材４６２は、図７に示すように、部品収納部本体４６１２の＋Ｙ軸方向側の開口部分を閉塞する部材であり、部品収納部本体４６１２の平面形状と略同一の平面形状を有する。
この蓋状部材４６２には、図７に示すように、光学装置４５の配置位置に対応して、光学装置４５を平面的に囲うようにコ字状の切り欠き４６２１が形成されている。
また、蓋状部材４６２には、図７に示すように、偏光変換素子４２３の配置位置に対応して開口部４６２２が形成されている。
これら切り欠き４６２１および開口部４６２２は、上述した各開口部４６１２Ｒ，４６１２Ｇ，４６１２Ｂ，４６１２Ｐを介して光学部品用筐体４６内部における空間Ａｒ１，Ａｒ２に流入された空気を光学部品用筐体４６外部に排出するための流出口として機能する。
【００４４】
なお、具体的な図示は省略したが、光学部品用筐体４６内部において、空間Ａｒ１は、部品収納部本体４６１２に形成されたリブや、入射側偏光板４５２およびフィールドレンズ４５５等の光学部品により、隣接する他の空間と連通しないように構成されている。また、同様に、光学部品用筐体４６内部において、空間Ａｒ２は、部品収納部本体４６１２に形成されたリブや、第２レンズアレイ４２２および重畳レンズ４２５等の光学部品により、隣接する他の空間と連通しないように構成されている。
【００４５】
〔2-2．電源ユニットの構成〕
電源ユニット５は、プロジェクタ１の装置本体を構成する各構成部材に電力を供給する。この電源ユニット５は、図８に示すように、外装筺体２における−Ｘ軸方向側の側面に沿って、背面側から前面側にかけて延びるように配置されている。この電源ユニット５は、具体的な図示は省略したが、電源ケーブルを通して外部から供給された電力を前記各構成部材に供給する電源ブロックと、前記電源ブロックから供給された電力に基づいて光源ランプ４１１を点灯させるランプ駆動ブロックとを備える。これら電源ブロックおよびランプ駆動ブロックは、図７または図８に示すように、両端が開口されたアルミニウム等の金属性のシールド部材５１によって周囲を覆われている。そして、このシールド部材５１により背面側から流入された空気が前面側に誘導されるとともに、前記電源ブロックや前記ランプ駆動ブロックで発生する電磁ノイズが外部へ漏れないように構成されている。
【００４６】
〔2-3．密閉循環空冷ユニットの構成〕
図１０ないし図１４は、密閉循環空冷ユニット７の構成を示す図である。具体的に、図１０は、図４の状態から筺体内部冷却装置８を構成するペルチェ放熱風排気ユニット８１を取り外した状態を示す図である。図１１は、図１０の状態から高熱伝導ダクト部７４２を取り外した状態を示す図である。図１２は、図６の状態からカバー部材７３２２を取り外した状態を示す図である。図１３は、図１２の状態からダクト本体７３２を取り外した状態を示す図である。図１４は、図１３の状態から循環ファン７２を取り外した状態を示す図である。
密閉循環空冷ユニット７は、光学部品用筐体４６とともに本発明に係る密閉構造を構成し、光学部品用筐体４６における空間Ａｒ１，Ａｒ２を含む環状の空気流通路の空気を循環させ、空間Ａｒ１，Ａｒ２に配置される光学装置４５や偏光変換素子４２３を冷却する。この密閉循環空冷ユニット７は、図１０ないし図１４に示すように、冷却装置７１と、循環ファン７２（図１２、図１３）と、流路前段側ダクト部材７３（図１２〜図１４）と、流路後段側ダクト部材７４（図１０、図１１）とを備える。
なお、以下では、空気流通路に沿って、空間Ａｒ１，Ａｒ２に対する上流側から順に説明する。また、循環ファン７２の具体的な構成については、流路前段側ダクト部材７３と同時に説明する。
【００４７】
〔2-3-1．冷却装置の構成〕
図１５は、冷却装置７１の構成を示す斜視図である。具体的に、図１５は、＋Ｘ軸方向側から冷却装置７１を見た斜視図である。
冷却装置７１は、図１０ないし図１４に示すように、投射レンズ３の＋Ｘ軸方向側に隣接配置され、前記密閉構造内部の空気流通路を辿る空気の熱を吸収し、前記密閉構造外部に放熱する装置である。この冷却装置７１は、図１５に示すように、ペルチェユニット７１１と、吸熱側ダクト７１２と、放熱側ダクト７１３と、冷却ファン７１４とを備える。
【００４８】
図１６ないし図１８は、ペルチェユニット７１１の構成を示す図である。具体的に、図１６は、＋Ｘ軸方向側（投射レンズ３に対して離間した側）から見たペルチェユニット７１１の分解斜視図である。図１７は、−Ｘ軸方向側（投射レンズ３に対して近接した側）から見たペルチェユニット７１１の分解斜視図である。図１８は、ペルチェユニット７１１の＋Ｚ軸方向側から見た断面図である。
ペルチェユニット７１１は、図１６ないし図１８に示すように、吸熱側熱伝導性部材７１１１と、スペーサとしての段付ブロック７１１２と、熱電変換素子としてのペルチェ素子７１１３と、熱伝達抑制部材７１１４と、放熱側熱伝導性部材７１１５とが、投射レンズ３側から順に積層配置されたものである。
ペルチェ素子７１１３は、具体的な図示は省略するが、ｐ型半導体素子とｎ型半導体素子とを金属片で接合して構成した接合対を複数有しており、これら複数の接合対は電気的に直列に接続されている。
このような構成を有するペルチェ素子７１１３において、制御基板６による制御の下、所定の電圧が印加されると、図１６ないし図１８に示すように、ペルチェ素子７１１３の一方の面が熱を吸収する吸熱面７１１３Ａとなり、他方の面が熱を放熱する放熱面７１１３Ｂとなる。
以上のペルチェ素子７１１３としては、一般的に、４ｍｍ程度の厚み寸法を有している。
【００４９】
吸熱側熱伝導性部材７１１１は、高熱伝導材料（下記表１参照）で構成され、ペルチェ素子７１１３の吸熱面７１１３Ａと段付ブロック７１１２を介して熱伝達可能に接続する。この吸熱側熱伝導性部材７１１１は、図１６ないし図１８に示すように、矩形状の板体７１１１Ａと、板体７１１１Ａにおける−Ｘ軸方向端面（段付ブロック７１１２との接続面とは反対側の端面）から突出しＹ軸方向（上下方向）に延出する複数の吸熱側フィン部材７１１１Ｂとを有する、いわゆるヒートシンクで構成されている。
【００５０】
段付ブロック７１１２は、高熱伝導材料（下記表１参照）で構成され、吸熱側熱伝導性部材７１１１の板体７１１１Ａとペルチェ素子７１１３の吸熱面７１１３Ａとの間に介在配置される。この段付ブロック７１１２は、図１６ないし図１８に示すように、板体状のブロック本体７１１２Ａと、ブロック本体７１１２Ａにおける＋Ｘ軸方向端面（ペルチェ素子７１１３側の端面）から膨出する板体状の膨出部７１１２Ｂとを備える。
ここで、ブロック本体７１１２Ａは、図１６ないし図１８に示すように、吸熱側熱伝導性部材７１１１の平面形状よりも小さい平面形状を有し、ペルチェ素子７１１３の平面形状よりも大きい平面形状を有するように形成されている。
また、膨出部７１１２Ｂは、図１６ないし図１８に示すように、ブロック本体７１１２Ａの平面形状よりも小さい平面形状を有し、ペルチェ素子７１１３の平面形状と略同一の平面形状を有するように形成されている。
そして、段付ブロック７１１２は、ブロック本体７１１２Ａと吸熱側熱伝導性部材７１１１とが熱伝達可能に接続し、膨出部７１１２Ｂとペルチェ素子７１１３の吸熱面７１１３Ａとが熱伝達可能に接続する。
本実施形態では、段付ブロック７１１２は、厚み寸法（ブロック本体７１１２Ａの厚み寸法および膨出部７１１２Ｂの厚み寸法を加えた厚み寸法）が１５ｍｍ以上３０ｍｍ以下に設定されている。
【００５１】
熱伝達抑制部材７１１４は、低熱伝導材料（下記表１参照）で構成され、吸熱側熱伝導性部材７１１１と放熱側熱伝導性部材７１１５との間で段付ブロック７１１２およびペルチェ素子７１１３を保持する部材である。
この熱伝達抑制部材７１１４には、図１６ないし図１８に示すように、＋Ｘ軸方向側（冷却ファン７１４側）に窪み、段付ブロック７１１２のブロック本体７１１２Ａを嵌合可能とする凹部７１１４Ａが形成されている。この凹部７１１４Ａの高さ寸法は、図１８に示すように、ブロック本体７１１２Ａの厚み寸法と略同一となるように設定されている。
また、熱伝達抑制部材７１１４において、凹部７１１４Ａの底面部分には、図１６ないし図１８に示すように、段付ブロック７１１２の膨出部７１１２Ｂを嵌合可能とする開口部７１１４Ｂが形成されている。
さらに、熱伝達抑制部材７１１４には、開口部７１１４Ｂ周縁部分から＋Ｘ軸方向側（冷却ファン７１４側）に突出する枠形状を有し、枠状内側部分にてペルチェ素子７１１３の外縁部分を保持する保持部７１１４Ｃが形成されている。この保持部７１１４Ｃにおいて、その突出寸法は、図１８に示すように、膨出部７１１２Ｂの厚み寸法、およびペルチェ素子７１１３の厚み寸法を加えた寸法と略同一、または小さく設定されており、ペルチェ素子７１１３の両面７１１３Ａ，７１１３Ｂが放熱側熱伝導性部材７１１５の板体７１１５Ａと、段付ブロック７１１２の膨出部７１１２Ｂに確実に接触されている。
以上のような構成により、ペルチェユニット７１１を組み立てた状態では、図１８に示すように、熱伝達抑制部材７１１４は、段付ブロック７１１２およびペルチェ素子７１１３の双方の外縁を覆うように配置される。
【００５２】
放熱側熱伝導性部材７１１５は、高熱伝導材料（下記表１参照）で構成され、ペルチェ素子７１１３の放熱面７１１３Ｂと熱伝達可能に接続する。この放熱側熱伝導性部材７１１５は、図１６ないし図１８に示すように、吸熱側熱伝導性部材７１１１と同様に、板体７１１５Ａおよび複数の放熱側フィン部材７１１５Ｂを有するヒートシンクで構成されている。ここで、複数の放熱側フィン部材７１１５Ｂは、図１６ないし図１８に示すように、吸熱側熱伝導性部材７１１１における複数の吸熱側フィン部材７１１１Ｂの延出方向と交差する（本実施形態では、直交する）方向（Ｚ軸方向）に延出するように形成されている。
本実施形態では、吸熱側熱伝導性部材７１１１および放熱側熱伝導性部材７１１５の各表面積は、略同一に設定されている。
【００５３】
吸熱側ダクト７１２は、低熱伝導材料（下記表１参照）で構成され、図１５に示すように、吸熱側熱伝導性部材７１１１の複数の吸熱側フィン部材７１１１Ｂを囲みＹ軸方向に延出する断面略コ字形状を有する。また、吸熱側ダクト７１２は、コ字状先端部分が吸熱側熱伝導性部材７１１１の板体７１１１Ａに接続可能に構成され、板体７１１１Ａに接続することで、コ字状内側部分に複数の吸熱側フィン部材７１１１Ｂが配置される。そして、図１５に示すように、吸熱側ダクト７１２により、複数の吸熱側フィン部材７１１１Ｂの延出方向に沿って空気を流通可能とする流路Ｃ１が形成される。この流路Ｃ１は、前記密閉構造内部の空気流通路の一部を構成する。すなわち、流路Ｃ１を辿る空気の熱が、複数の吸熱側フィン部材７１１１Ｂ〜板体７１１１Ａ〜段付ブロック７１１２〜ペルチェ素子７１１３の吸熱面７１１３Ａの熱伝達経路を辿ってペルチェ素子７１１３の吸熱面７１１３Ａに吸収される。
【００５４】
放熱側ダクト７１３は、高熱伝導材料（下記表１参照）で構成され、図１５に示すように、冷却ファン７１４とペルチェユニット７１１との間に介在配置され、冷却ファン７１４から送風されペルチェユニット７１１を介した空気を所定方向に導く。より具体的に、放熱側ダクト７１３は、図１５では一部を省略しているが、放熱側熱伝導性部材７１１５の＋Ｚ軸方向側、＋Ｙ軸方向側、および＋Ｘ軸方向側の三方を囲む形状を有している。そして、放熱側ダクト７１３には、図１５に示すように、＋Ｘ軸方向側の面（放熱側フィン部材７１１５Ｂに対向する面）に切り欠き７１３１が形成されている。また、切り欠き７１３１周縁部分には、図１５に示すように、冷却ファン７１４を外装筺体２内部に設置するためのファン設置部材７１４Ａと接続する接続部７１３２が形成されている。そして、放熱側ダクト７１３は、図１５に示すように、冷却ファン７１４から放熱側フィン部材７１１５Ｂに吹き付けられる空気を、−Ｚ軸方向側に導く。
【００５５】
図１９は、放熱側熱伝導性部材７１１５に対する冷却ファン７１４の配置位置を示す平面図である。
冷却ファン７１４は、図１５または図１９に示すように、ファン回転軸Ａf方向に空気を吸入および吐出する軸流ファンで構成され、放熱側熱伝導性部材７１１５に対向するように配置されている。より具体的に、冷却ファン７１４は、図１９に示すように、平面視で、放熱側熱伝導性部材７１１５に接続するペルチェ素子７１１３の中心位置Ｏ1に対してファン回転軸Ａfがずれた位置となるように、放熱側熱伝導性部材７１１５に対向配置されている。また、冷却ファン７１４は、外装筺体２に形成された冷却装置用吸気口２２４に対向するように配置されている。そして、冷却ファン７１４は、制御基板６による制御の下、駆動することで、冷却装置用吸気口２２４を介して外装筺体２外部の空気を吸入し、放熱側熱伝導性部材７１１５における複数の放熱側フィン部材７１１５Ｂに空気を吐出する。すなわち、ペルチェ素子７１１３の放熱面７１１３Ｂ〜板体７１１５Ａ〜複数の放熱側フィン部材７１１５Ｂの熱伝達経路を辿って複数の放熱側フィン部材７１１５Ｂに伝達された熱が、冷却ファン７１４により冷却される。
【００５６】
〔2-3-2．流路前段側ダクト部材の構成〕
流路前段側ダクト部材７３は、低熱伝導材料（下記表１参照）で構成され、流路Ｃ１を辿って冷却装置７１を介した空気を循環ファン７２に導くとともに、循環ファン７２から吐出された空気を空間Ａｒ１，Ａｒ２に導く部材である。この流路前段側ダクト部材７３は、図６、図１２ないし図１４に示すように、ベース板７３１と、ダクト本体７３２（図６、図１２）とを備える。
【００５７】
ベース板７３１は、図６、図１２ないし図１４に示すように、光学部品用筐体４６における部品収納部本体４６１２の−Ｙ軸方向端面に所定の間隔（例えば、５〜１０ｍｍ程度）を空けて取り付けられ、循環ファン７２およびダクト本体７３２を支持する。このベース板７３１は、図１３または図１４に示すように、平面視略Ｔ字形状を有する。より具体的に、ベース板７３１は、投射レンズ３の下方側から光学部品用筐体４６内部における光学装置４５の配置位置に対応する位置にかけてＺ軸方向に延出するとともに、−Ｚ軸方向端部が偏光変換素子４２３の配置位置に対応する位置、および偏光変換素子４２３の配置位置とは反対側にかけてＸ軸方向に延出する。
そして、ベース板７３１において、投射レンズ３の下方側に位置する部分は、図１３または図１４に示すように、循環ファン７２を取り付けるための第１取付部７３１１として機能する。また、ベース板７３１において、光学装置４５の配置位置に対応する位置から＋Ｘ軸方向に延出した部分は、図１３または図１４に示すように、循環ファン７２を取り付けるための第２取付部７３１２として機能する。
【００５８】
ここで、循環ファン７２は、前記密閉構造内部の環状の空気流通路に沿って空気を循環させるものであり、図１３に示すように、第１シロッコファン７２１および第２シロッコファン７２２で構成されている。そして、第１シロッコファン７２１は、図１３に示すように、吸気口７２１１が−Ｙ軸方向側に向き、吐出口７２１２が−Ｚ軸方向側に向くように、ベース板７３１の第１取付部７３１１に取り付けられる。また、第２シロッコファン７２２は、図１３に示すように、吸気口７２２１が−Ｙ軸方向側に向き、吐出口７２２２が−Ｚ軸方向に向きかつＸＹ平面に対して−Ｘ軸方向側に向けて所定角度、傾斜した状態となるように、ベース板７３１の第２取付部７３１２に取り付けられる。
【００５９】
また、ベース板７３１において、光学装置４５の配置位置に対応する位置には、図１３または図１４に示すように、光学部品用筐体４６に形成された各開口部４６１２Ｒ，４６１２Ｇ，４６１２Ｂに対応した開口部７３１３Ｒ，７３１３Ｇ，７３１３Ｂがそれぞれ形成されている。
さらに、ベース板７３１において、偏光変換素子４２３の配置位置に対応する位置には、図１３または図１４に示すように、光学部品用筐体４６に形成された開口部４６１２Ｐに対応した開口部７３１４Ｐが形成されている。
【００６０】
ダクト本体７３２は、ベース板７３１の−Ｙ軸方向端面に取り付けられることで、流路Ｃ１を辿って冷却装置７１を介した空気を循環ファン７２に導くとともに、循環ファン７２から吐出された空気を空間Ａｒ１，Ａｒ２に導く。このダクト本体７３２は、図６または図１２に示すように、基体７３２１と、カバー部材７３２２（図６）とを備える。
基体７３２１は、図１２に示すように、ベース板７３１の平面形状と略同一の平面形状を有し、第１ダクト部７３２１Ａと第２ダクト部７３２１Ｂとが一体的に形成されたものである。
【００６１】
第１ダクト部７３２１Ａは、流路Ｃ１を辿って冷却装置７１を介した空気を循環ファン７２に導くものである。この第１ダクト部７３２１Ａは、図１２に示すように、密閉循環空冷ユニット７を組み立てた状態で、冷却装置７１の吸熱側ダクト７１２、および循環ファン７２を平面的に囲う障壁部７３２１Ａ１を有し、−Ｙ軸方向側に開口部７３２１Ａ２を有する容器状に形成されている。
この第１ダクト部７３２１Ａにおいて、冷却装置７１の吸熱側ダクト７１２に対応する位置には、図１２に示すように、流路Ｃ１と連通する開口部７３２１Ａ３が形成されている。
【００６２】
また、第１ダクト部７３２１Ａにおいて、循環ファン７２を構成する各シロッコファン７２１，７２２の各吸気口７２１１，７２２１に対応する位置には、図１２に示すように、開口部７３２１Ａ４，７３２１Ａ５がそれぞれ形成されている。
さらに、第１ダクト部７３２１Ａにおいて、各開口部７３２１Ａ４，７３２１Ａ５の間には、図１２に示すように、障壁部７３２１Ａ１から開口部７３２１Ａ３に向けて延出する整流リブ７３２１Ａ６が形成されている。
さらにまた、第１ダクト部７３２１Ａにおいて、冷却装置７１の放熱側ダクト７１３に対応する位置には、図１２に示すように、障壁部７３２１Ａ１から＋Ｘ軸方向に延出する平面視矩形形状の放熱風規制部７３２１Ａ７が形成されている。すなわち、密閉循環空冷ユニット７を組み立てた状態では、放熱風規制部７３２１Ａ７と冷却装置７１の放熱側ダクト７１３とが接続する。そして、放熱風規制部７３２１Ａ７および放熱側ダクト７１３により、冷却ファン７１４から放熱側フィン部材７１１５Ｂに吹き付けられる空気を−Ｚ軸方向に導く。
【００６３】
また、第１ダクト部７３２１Ａにおいて、開口部７３２１Ａ４周縁部分は、図１２に示すように、循環ファン７２を構成する第１シロッコファン７２１を取り付けるための第１取付部７３２１Ａ８として機能する。すなわち、第１シロッコファン７２１は、ベース板７３１の第１取付部７３１１、およびダクト本体７３２の第１取付部７３２１Ａ８とで挟持固定される。
さらに、第１ダクト部７３２１Ａにおいて、開口部７３２１Ａ５周縁部分は、図１２に示すように、循環ファン７２を構成する第２シロッコファン７２１を取り付けるための第２取付部７３２１Ａ９として機能する。すなわち、第２シロッコファン７２２は、ベース板７３１の第２取付部７３１２、およびダクト本体７３２の第２取付部７３２１Ａ９とで挟持固定される。
【００６４】
カバー部材７３２２は、図６に示すように、第１ダクト部７３２１Ａにおける障壁部７３２１Ａ１に取り付けられ、開口部７３２１Ａ２を閉塞する部材である。
そして、第１ダクト部７３２１Ａにカバー部材７３２２が取り付けられることで、図１２に示すように、流路Ｃ１を辿った空気が開口部７３２１Ａ３を介して第１ダクト部７３２１Ａおよびカバー部材７３２２間に導入され、整流リブ７３２１Ａ６により、前記空気を開口部７３２１Ａ４（第１シロッコファン７２１）に導く流路Ｃ２と、前記空気を開口部７３２１Ａ５（第２シロッコファン７２２）に導く流路Ｃ３とが形成される。これら流路Ｃ２，Ｃ３は、前記密閉構造内部の空気流通路の一部を構成する。
【００６５】
第２ダクト部７３２１Ｂは、各流路Ｃ２，Ｃ３を辿って各シロッコファン７２１，７２２に吸入・吐出された空気を光学部品用筐体４６内部の空間Ａｒ１，Ａｒ２に導くものである。この第２ダクト部７３２１Ｂは、図６または図１２に示すように、光学装置４５の配置位置に対応する位置から−Ｚ軸方向に延出し、偏光変換素子４２３の配置位置に対応する位置にかけて−Ｘ軸方向に延出する平面視略Ｌ字形状を有し、＋Ｙ軸方向側が開口した容器状に形成されている。
この第２ダクト部７３２１Ｂにおいて、具体的な図示は省略するが、容器状の側壁部分には、第１シロッコファン７２１の吐出口７２１２と接続する切り欠きと、第２シロッコファン７２２の吐出口７２２２と接続する切り欠きとが形成されている。
また、この第２ダクト部７３２１Ｂには、具体的な図示は省略するが、第１シロッコファン７２１および第２シロッコファン７２２から吐出された空気を所定位置に導くための整流リブが形成されている。
【００６６】
そして、ダクト本体７３２をベース板７３１に取り付けることで、図１３に示すように、流路Ｃ２を辿り第１シロッコファン７２１にて吸入・吐出された空気が第２ダクト部７３２１Ｂおよびベース板７３１間に導入され、前記整流リブにより、前記空気をベース板７３１の各開口部７３１３Ｒ，７３１３Ｂおよび光学部品用筐体４６の各開口部４６１２Ｒ，４６１２Ｂを介して空間Ａｒ１に導く流路Ｃ４が形成される。また、図１３に示すように、流路Ｃ３を辿り第２シロッコファン７２２にて吸入・吐出された空気が第２ダクト部７３２１Ｂおよびベース板７３１間に導入され、前記整流リブにより、前記空気をベース板７３１の開口部７３１３Ｇおよび光学部品用筐体４６の開口部４６１２Ｇを介して空間Ａｒ１に導く流路Ｃ５と、前記空気をベース板７３１の開口部７３１４Ｐおよび光学部品用筐体４６の開口部４６１２Ｐを介して空間Ａｒ２に導く流路Ｃ６とが形成される。これら流路Ｃ４〜Ｃ６は、前記密閉構造内部の空気流通路の一部を構成する。
【００６７】
〔2-3-3．流路後段側ダクト部材の構成〕
流路後段側ダクト部材７４は、空間Ａｒ１，Ａｒ２内部から空間Ａｒ１，Ａｒ２外部に流出した空気を冷却装置７１の吸熱側ダクト７１２（流路Ｃ１）に導く部材である。この流路後段側ダクト部材７４は、図１０または図１１に示すように、低熱伝導ダクト部７４１と、高熱伝導ダクト部７４２（図１０）とを備える。
低熱伝導ダクト部７４１は、低熱伝導材料（下記表１参照）で構成され、図１０に示すように、冷却装置７１を構成する吸熱側ダクト７１２の＋Ｙ軸方向側の開口部分、および光学部品用筐体４６を構成する部品収納部本体４６１２を平面的に囲う障壁部７４１１を有し、＋Ｙ軸方向側に開口部７４１２を有する平面視略Ｌ字形状の容器状に形成されている。そして、この低熱伝導ダクト部７４１は、図１１に示すように、吸熱側ダクト７１２の＋Ｙ軸方向端面および蓋状部材４６２の＋Ｙ軸方向端面に所定の間隔（例えば、５〜１０ｍｍ程度）を空けて取り付けられる。
流路後段側ダクト部材７４には、液晶パネル４５１と制御基板６を接続するＦＰＣケーブル４５６を通すための孔が設けられている。そして、前記孔とＦＰＣケーブル４５６との隙間は、流路後段側ダクト部材７４内部の密閉性が損なわれないように、ゴム、スポンジ等により封止されている。
【００６８】
この低熱伝導ダクト部７４１において、吸熱側ダクト７１２に対応する位置には、図１１に示すように、流路Ｃ１と連通する開口部７４１３が形成されている。
また、低熱伝導ダクト部７４１において、蓋状部材４６２の切り欠き４６２１に対応する位置には、図１１に示すように、切り欠き４６２１を介して空間Ａｒ１に連通する開口部７４１４が形成されている。
さらに、低熱伝導ダクト部７４１において、蓋状部材４６２の開口部４６２２に対応する位置には、図１１に示すように、開口部４６２２を介して空間Ａｒ２に連通する開口部７４１５が形成されている。
さらにまた、低熱伝導ダクト部７４１には、図１１に示すように、障壁部７４１１から開口部７４１２に向けて延出し、各開口部７４１４，７４１５を隔離する整流リブ７４１６が形成されている。
【００６９】
高熱伝導ダクト部７４２は、高熱伝導材料（下記表１参照）で構成され、図１０に示すように、低熱伝導ダクト部７４１における障壁部７４１１に取り付けられ、開口部７４１２を閉塞する部材である。
そして、低熱伝導ダクト部７４１に高熱伝導ダクト部７４２が取り付けられることで、図１１に示すように、空間Ａｒ１内部から空間Ａｒ１外部に流出した空気が切り欠き４６２１および開口部７４１４を介して流路後段側ダクト部材７４内部に導入され、開口部７４１３を介して前記空気を吸熱側ダクト７１２（流路Ｃ１）に導く流路Ｃ７と、空間Ａｒ２内部から空間Ａｒ２外部に流出した空気が開口部４６２２および開口部７４１５を介して流路後段側ダクト部材７４内部に導入され、開口部７４１３を介して前記空気を吸熱側ダクト７１２（流路Ｃ１）に導く流路Ｃ８とが形成される。これら流路Ｃ７，Ｃ８は、前記密閉構造内部の空気流通路の一部を構成する。
【００７０】
すなわち、上述した流路Ｃ１〜Ｃ８、および空間Ａｒ１，Ａｒ２により前記密閉構造内部の環状の空気流通路を構成する。そして、循環ファン７２により、流路Ｃ１〜流路Ｃ２，Ｃ３〜流路Ｃ４，Ｃ５，Ｃ６〜空間Ａｒ１，Ａｒ２〜流路Ｃ７，Ｃ８〜流路Ｃ１の環状の空気流通路を辿って空気を流通させることで、空間Ａｒ１，Ａｒ２内の光学装置４５（液晶パネル４５１、入射側偏光板４５２、射出側偏光板４５４等）および偏光変換素子４２３が冷却される。
なお、具体的な図示は省略したが、光学部品用筐体４６および密閉循環空冷ユニット７は、例えば、各部材間に弾性を有するシール部材等が介在されることで前記空気流通路と外部とが連通しない密閉構造を構成している。
【００７１】
上述した高熱伝導材料および低熱伝導材料は、以下の表１に示す材料が例示できる。ここで、表１に示すように、高熱伝導材料としては、熱伝導率が４２Ｗ／（ｍ・Ｋ）以上の材料が好ましく、低熱伝導材料としては、熱伝導率が０．９Ｗ／（ｍ・Ｋ）以下の材料が好ましい。
【００７２】
【表１】
2007334042.tif 000003
【００７３】
〔2-4．筐体内部冷却装置の構成〕
筺体内部冷却装置８は、前記密閉構造外部の構成部材（制御基板６、流路後段側ダクト部材７４、光源装置４１、電源ユニット５等）を冷却する。この筺体内部冷却装置８は、図４ないし図６に示すように、ペルチェ放熱風排気ユニット８１（図４、図５）と、光源冷却用ファン８２（図６）と、電源冷却用ファン８３と、排気ファン８４とを備える。
ペルチェ放熱風排気ユニット８１は、冷却ファン７１４から放熱側ダクト７１３の放熱側フィン部材７１１５Ｂに吹き付けられた空気を制御基板６および流路後段側ダクト部材７４の間に流通させるものである。このペルチェ放熱風排気ユニット８１は、図４または図５に示すように、外部側ダクト部材８１１と、通風ガイド部８１２とを備える。
【００７４】
図２０は、外部側ダクト部材８１１を示す斜視図である。
外部側ダクト部材８１１は、図２０に示すように、空気を内部に導入する導入口８１１１と、内部の空気を外部に排出する導出口８１１２とが略直交するように形成され、導入口８１１１を介して内部に導入した空気を＋Ｙ軸方向に屈曲させて流通させ、さらに、導出口８１１２に向けて屈曲させて流通させる。そして、この外部側ダクト部材８１１は、具体的な図示は省略するが、導入口８１１１が、放熱側ダクト７１３の背面側端部および放熱風規制部７３２１Ａ７の背面側端部と接続するように配設される。また、この外部側ダクト部材８１１は、図４または図５に示すように、導出口８１１２が、制御基板６（図４では図示略）の＋Ｘ軸方向端部と流路後段側ダクト部材７４における＋Ｘ軸方向端部との間に位置するように配設される。すなわち、外部側ダクト部材８１１は、冷却ファン７１４から放熱側フィン部材７１１５Ｂに吹き付けられ、放熱風規制部７３２１Ａ７および放熱側ダクト７１３により、−Ｚ軸方向に導かれた空気を、導入口８１１１を介して内部に導入し、導出口８１１２を介して制御基板６および流路後段側ダクト部材７４の間に＋Ｘ軸方向側から−Ｘ軸方向側に向けて排出する。
【００７５】
通風ガイド部８１２は、外部側ダクト部材８１１から排出された空気を、制御基板６および流路後段側ダクト部材７４の間で、流路後段側ダクト部材７４における空間Ａｒ１，Ａｒ２に対向する部分に沿って流通させるものである。この通風ガイド部８１２は、図４または図５に示すように、第１ガイド部８１２１と、第２ガイド部８１２２とを備える。
第１ガイド部８１２１は、図４または図５に示すように、板状部材で構成され、一端側が外部側ダクト部材８１１の導出口８１１２の−Ｚ軸方向端部に接続し、流路後段側ダクト部材７４を構成する高熱伝導ダクト部７４２における−Ｚ軸方向端縁および−Ｘ軸方向端縁に沿って他端側が光源装置収納部４６１１近傍まで延出するように、高熱伝導ダクト部７４２に立設されている。
【００７６】
第２ガイド部８１２２は、図４または図５に示すように、板状部材で構成され、一端側が外部側ダクト部材８１１の導出口８１１２の＋Ｚ軸方向端部に接続し、−Ｘ軸方向に延出して流路後段側ダクト部材７４を構成する高熱伝導ダクト部７４２におけるＬ字状内側の端縁に沿って他端側が光源装置収納部４６１１近傍まで延出するように、高熱伝導ダクト部７４２に立設されている。
そして、通風ガイド部８１２を介して、流路後段側ダクト部材７４の＋Ｙ軸方向側に制御基板６を配設することで、図４または図５に示すように、外部側ダクト部材８１１の導出口８１１２から排出された空気を空間Ａｒ１に対向する部分から空間Ａｒ２に対向する部分にかけて流通させる流路Ｃ１１が形成される。
【００７７】
光源冷却用ファン８２は、図６に示すように、シロッコファンで構成され、吸気口８２１が−Ｙ軸方向側に向き、吐出口８２２が＋Ｚ軸方向側に向くように、部品収納部本体４６１２の−Ｙ軸方向端面における光源装置収納部４６１１と接続する一端側に取り付けられている。そして、光源冷却用ファン８２は、制御基板６による制御の下、駆動することで、ロアーケース２２に形成された光源用吸気口２２３を介して外装筺体２外部の冷却空気を吸入し、＋Ｚ軸方向に吐出する。光源冷却用ファン８２から吐出された空気は、図６に示すように、光源装置４１のランプハウジング４１３に形成された空気導入部４１３１によりランプハウジング４１３内外を連通する流路Ｃ１２を辿って、ランプハウジング４１３内部に導入され、光源ランプ４１１やリフレクタ４１２が冷却される。
【００７８】
電源冷却用ファン８３は、図４ないし図６に示すように、軸流ファンで構成され、吸気口８３１が−Ｚ軸方向側に向き、吐出口８３２が＋Ｚ軸方向側に向くように、外装筺体２内部における−Ｚ軸方向側でかつ−Ｘ軸方向側の角隅部分に配設される。そして、電源冷却用ファン８３は、制御基板６による制御の下、駆動することで、図４または図５に示すように、外装筺体２に形成された電源用吸気口２２５を介して外装筺体２外部の冷却空気を吸入し、＋Ｚ軸方向側に吐出する。電源冷却用ファン８３から吐出された空気は、図４ないし図６に示すように、電源ユニット５のシールド部材５１によりシールド部材５１内外を連通する流路Ｃ１３を辿って、シールド部材５１の−Ｚ軸方向側の開口部分からシールド部材５１内部に導入され、前記電源ブロックや前記ランプ駆動ブロックが冷却される。
【００７９】
排気ファン８４は、図４ないし図６に示すように、軸流ファンで構成され、吸気口８４１（図６）が−Ｚ軸方向に向きかつＸＹ平面に対して＋Ｘ軸方向側に向けて所定角度、傾斜した状態となるように、外装筺体２内部の＋Ｚ軸方向側でかつ−Ｘ軸方向側の角隅部分に配設される。この排気ファン８４は、制御基板６による制御の下、駆動することで、排気ファン８４近傍の空気を吸入する。
例えば、排気ファン８４は、図４または図５に示すように、ペルチェ放熱風排気ユニット８１により流路Ｃ１１を辿って光源装置収納部４６１１近傍に流通した空気を吸入する。
【００８０】
また、例えば、排気ファン８４は、図５または図６に示すように、光源装置収納部４６１１における−Ｘ軸方向端面に形成された開口部（図示略）を介して、光源装置収納部４６１１内部の空気を吸入する。すなわち、光源冷却用ファン８２により流路Ｃ１２を辿ってランプハウジング４１３内部に導入され光源ランプ４１１やリフレクタ４１２にて温められた空気や、光源装置収納部４６１１における＋Ｘ軸方向端面に形成された開口部４６１１Ｂを介して光源装置収納部４６１１内部に流通した空気が排気ファン８４により吸入される。
さらに、例えば、排気ファン８４は、図４ないし図６に示すように、シールド部材５１における＋Ｚ軸方向側の開口部分を介してシールド部材５１内部の空気を吸入する。すなわち、電源冷却用ファン８３により流路Ｃ１３を辿ってシールド部材５１内部に導入され前記電源ブロックや前記ランプ駆動ブロックにて温められた空気が排気ファン８４により吸入される。
そして、排気ファン８４から吐出された空気は、外装筺体２の排気口２３３を介して、ルーバ２３４にて整流されて、外装筺体２外部に排出される。
【００８１】
〔2-5．制御基板の構成〕
制御基板６は、図３に示すように、ＣＰＵ（Central Processing Unit）等の回路素子が実施された回路基板として構成され、流路後段側ダクト部材７４および通風ガイド部８１２を介して光学ユニット４の上方側に配置される。そして、制御基板６は、光学ユニット４（光源ランプ４１１、液晶パネル４５１）、電源ユニット５、密閉循環空冷ユニット７（循環ファン７２、ペルチェ素子７１１３、冷却ファン７１４）、筺体内部冷却装置８（光源冷却用ファン８２、電源冷却用ファン８３、排気ファン８４）等を駆動制御する。
【００８２】
上述した第１実施形態においては、以下の効果がある。
本実施形態では、冷却装置７１において、ペルチェ素子７１１３の吸熱面７１１３Ａに吸熱側熱伝導性部材７１１１が熱伝達可能に接続し、吸熱側熱伝導性部材７１１１が複数の吸熱側フィン部材７１１１Ｂを備えているので、従来のような板状部材で構成された伝熱部材と比較して、吸熱側熱伝導性部材７１１１の表面積を大きくできる。このため、冷却対象である空気流通路（流路Ｃ１）を辿る空気から吸熱側熱伝導性部材７１１１を介してペルチェ素子７１１３の吸熱面７１１３Ａに伝達される吸熱量を比較的に大きいものとし、冷却装置７１において、ペルチェ素子７１１３の消費電力に対する流路Ｃ１を辿る空気から吸熱する吸熱量の比率（吸熱効率）を向上することができる。
そして、吸熱効率を向上することができるため、冷却ファン７１４の回転数を必要以上に増加させる必要がなく、プロジェクタ１の低騒音化が図れる。また、ペルチェ素子７１１３の消費電力を必要以上に増加させる必要がなく、プロジェクタ１の省電力化が図れる。
【００８３】
図２１は、第１実施形態の効果を説明するための図である。具体的に、図２１（Ａ）は、複数の吸熱側フィン部材７１１１Ｂの延出方向と複数の放熱側フィン部材７１１５Ｂの延出方向とを同一に設定した場合を模式的に示す平面図である。図２１（Ｂ）は、本実施形態における複数の吸熱側フィン部材７１１１Ｂおよび複数の放熱側フィン部材７１１５Ｂの構成を模式的に示す平面図である。
ところで、複数の吸熱側フィン部材７１１１Ｂ間を流通する空気の風速にばらつきが生じている場合には、吸熱側熱伝導性部材７１１１において、複数の吸熱側フィン部材７１１１Ｂ間のうち少なくともいずれかの吸熱側フィン部材７１１１Ｂ間を流通する空気から吸熱する熱量が多くなり、他の吸熱側フィン部材７１１１Ｂ間を流通する空気から吸熱する熱量が少なくなる。すなわち、複数の吸熱側フィン部材７１１１Ｂ間毎に、図２１の例に示すように、吸熱する熱量が多い領域ＡH1と、吸熱する熱量が少ないその他の領域とが存在し、吸熱する熱量に分布が生じる。
【００８４】
また、複数の放熱側フィン部材７１１５Ｂ間を流通する空気の風速にばらつきが生じている場合も同様に、放熱側熱伝導性部材７１１５において、複数の放熱側フィン部材７１１５Ｂ間のうち少なくともいずれかの放熱側フィン部材７１１５Ｂ間を流通する空気に放熱する熱量が多くなり、他の放熱側フィン部材７１１５Ｂ間を流通する空気に放熱する熱量が少なくなる。すなわち、複数の放熱側フィン部材７１１５Ｂ間毎に、図２１の例に示すように、放熱する熱量が多い領域ＡH2と、放熱する熱量が少ないその他の領域とが存在し、放熱する熱量に分布が生じる。
【００８５】
ここで、図２１（Ａ）の例に示すように、複数の吸熱側フィン部材７１１１Ｂの延出方向と複数の放熱側フィン部材７１１５Ｂの延出方向とを同一に設定してしまうと、吸熱側熱伝導性部材７１１１における吸熱する熱量が多い領域ＡH1と、放熱側熱伝導性部材７１１５における放熱する熱量が多い領域ＡH2とが平面的に重ならない場合が生じる。このような場合には、吸熱側熱伝導性部材７１１１における吸熱する熱量が多い領域ＡH1から、放熱側熱伝導性部材７１１５における領域ＡH2を除くその他の放熱する熱量が少ない領域へと熱が移動することとなり、冷却装置７１において、吸熱効率を十分に確保できない。
【００８６】
本実施形態では、複数の吸熱側フィン部材７１１１Ｂおよび複数の放熱側フィン部材７１１５Ｂは、平面視で互いに直交する方向にそれぞれ延出している。このことにより、上述したような場合であっても、図２１（Ｂ）に示すように、吸熱側熱伝導性部材７１１１における吸熱する熱量が多い領域ＡH1の一部と、放熱側熱伝導性部材７１１５における放熱する熱量が多い領域ＡH2の一部とが平面的に重なる領域ＡH3を確実に生成できる。このため、領域ＡH3において、吸熱側熱伝導性部材７１１１における吸熱する熱量が多い部分から、放熱側熱伝導性部材７１１５における放熱する熱量が多い部分へと熱が移動することとなり、冷却装置７１において、吸熱効率を十分に確保できる。
【００８７】
ところで、ペルチェ素子７１１３の厚みが約４ｍｍと薄いものであるため、ペルチェ素子７１１３の吸熱面７１１３Ａおよび放熱面７１１３Ｂに直接、吸熱側熱伝導性部材７１１１および放熱側熱伝導性部材７１１５を取り付けた場合には、吸熱側熱伝導性部材７１１１および放熱側熱伝導性部材７１１５が近接し、放熱側熱伝導性部材７１１５の熱が吸熱側熱伝導性部材７１１１に移動しやすい。このため、吸熱側フィン部材７１１１Ｂによる流路Ｃ１を辿る空気から吸熱する吸熱量が低下し、冷却装置７１において、吸熱効率を十分に確保できない。
本実施形態では、吸熱側熱伝導性部材７１１１および吸熱面７１１３Ａの間に熱伝導性を有する段付ブロック７１１２が介在配置されているので、吸熱側熱伝導性部材７１１１と放熱側熱伝導性部材７１１５とを所定間隔（段付ブロック７１１２とペルチェ素子７１１３の厚み分、例えば、段付ブロック７１１２の厚み寸法が１５ｍｍ以上３０ｍｍ以下に設定され、ペルチェ素子７１１３の厚み寸法が４ｍｍの場合、１９ｍｍ以上３４ｍｍ以下となる）、離間することができる。このため、放熱側熱伝導性部材７１１５の熱が吸熱側熱伝導性部材７１１１に移動することを抑制し、吸熱側フィン部材７１１１Ｂによる流路Ｃ１を辿る空気から吸熱する吸熱量を維持し、冷却装置７１において、吸熱効率を十分に確保できる。
【００８８】
ところで、吸熱側熱伝導性部材７１１１と放熱側熱伝導性部材７１１５とを所定間隔、離間するためには、段付ブロック７１１２を、放熱側熱伝導性部材７１１５と放熱面７１１３Ｂとの間に介在配置する構成も考えられる。しかしながら、このような構成では、以下の問題が生じる。
一般的に、ペルチェ素子７１１３の放熱面７１１３Ｂと吸熱面７１１３Ａとの温度差が小さい方が、吸熱効率を向上できることが知られている。また、一般的に、吸熱面７１１３Ａによる吸熱量をＱabとすると、放熱面７１１３Ｂから放熱される放熱量ＱDは、ペルチェ素子７１１３への投入電力（消費電力）Ｐが加わるため、Ｑab＋Ｐとなる。すなわち、吸熱側での貫流熱量がＱabだけであるのに対して、放熱側での貫流熱量は、Ｑab＋Ｐという大きな熱量となる。したがって、放熱側熱伝導性部材７１１５と放熱面７１１３Ｂとの間に所定の熱抵抗を有する段付ブロック７１１２を介在配置した場合には、放熱面７１１３Ｂの温度が大きくなりやすく、放熱面７１１３Ｂと吸熱面７１１３Ａとの温度差を小さくすることが難しい。すなわち、吸熱効率を向上することが難しい。
本実施形態では、吸熱側熱伝導性部材７１１１と吸熱面７１１３Ａとの間に段付ブロック７１１２が介在配置されているので、上述した構成と比較して、放熱面７１１３Ｂの温度を大きくすることなく、放熱面７１１３Ｂと吸熱面７１１３Ａとの温度差を小さくでき、すなわち、吸熱効率を向上できる。
【００８９】
また、冷却装置７１は、吸熱側熱伝導性部材７１１１および放熱側熱伝導性部材７１１５の間に、熱伝導率が０．９Ｗ／（ｍ・Ｋ）以下の低熱伝導材料で構成された熱伝達抑制部材７１１４が介在配置されているので、段付ブロック７１１２により吸熱側熱伝導性部材７１１１および放熱側熱伝導性部材７１１５を所定間隔、離間することに加えて、熱伝達抑制部材７１１４により、放熱側熱伝導性部材７１１５の熱が吸熱側熱伝導性部材７１１１に移動することをより抑制できる。このため、吸熱側フィン部材７１１１Ｂによる流路Ｃ１から吸熱する吸熱量を良好に維持し、冷却装置７１において、吸熱効率を十分に確保できるという効果を好適に図れる。
【００９０】
さらに、熱伝達抑制部材７１１４は、段付ブロック７１１２およびペルチェ素子７１１３の双方の外縁部分を覆うように形成されているので、放熱側熱伝導性部材７１１５の熱が段付ブロック７１１２やペルチェ素子７１１３に移動することも抑制できる。このため、流路Ｃ１を辿る空気から吸熱側フィン部材７１１１Ｂおよび段付ブロック７１１２を介して吸熱面７１１３Ａに伝達される吸熱量をより良好に維持し、冷却装置７１において、吸熱効率を十分に確保できるという効果をより好適に図れる。
【００９１】
また、冷却装置７１は、熱伝導率が０．９Ｗ／（ｍ・Ｋ）以下の低熱伝導材料で構成された吸熱側ダクト７１２を備えているので、流路Ｃ１を辿る空気に対して、吸熱側ダクト７１２外部の空気や部材の熱が吸熱側ダクト７１２を介して伝達されることを抑制できる。したがって、冷却装置７１により、流路Ｃ１を辿る空気を十分に冷却できる。
【００９２】
さらに、冷却装置７１は、熱伝導率が４２Ｗ／（ｍ・Ｋ）以上の高熱伝導材料で構成された放熱側ダクト７１３を備えているので、放熱側フィン部材７１１５Ｂから放熱側ダクト７１３内部の空気に伝達された熱を、放熱側ダクト７１３を介して外部に放熱できる。したがって、放熱側フィン部材７１１５Ｂの放熱特性を良好にでき、冷却ファン７１４の回転数を必要以上に増加させる必要がなく、プロジェクタ１の低騒音化が図れる。
【００９３】
ところで、軸流ファンは、ファン回転軸Ａfよりもファンを構成する複数の羽根板の先端側の方が吐出される空気の風速が大きいものである。
本実施形態では、冷却ファン７１４は、平面視でペルチェ素子７１１３の中心位置Ｏ1に対してファン回転軸Ａfがずれた位置となるように、放熱側熱伝導性部材７１１５に対向配置されている。このことにより、放熱側熱伝導性部材７１１５において、冷却ファン７１４から吐出される大きい風速を有する空気が吹き付けられる部分に、ペルチェ素子７１１３が配置されていることとなる。このため、放熱側熱伝導性部材７１１５において、ペルチェ素子７１１３の放熱面７１１３Ｂから伝達され高温化した部分を冷却ファン７１４により効果的に冷却することができる。
【００９４】
そして、プロジェクタ１は、上述した吸熱効率の向上した冷却装置７１を備えているので、冷却装置７１により冷却対象である空気流通路を辿る空気を効果的に冷却し、すなわち、光学部品用筐体４６内部の空間Ａｒ１，Ａｒ２に収納配置された光学装置４５および偏光変換素子４２３を効果的に冷却できる。
また、密閉構造を構成する光学部品用筐体４６内部の空間Ａｒ１，Ａｒ２に各光学部品４５，４２３が収納配置されているので、各光学部品４５，４２３に塵埃、油煙等が付着することを防止でき、プロジェクタ１から投射される投影画像の画質を安定に確保できる。
【００９５】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図２２は、第２実施形態におけるペルチェユニット７１１Ａの構成を示す図である。具体的に、図２２は、＋Ｘ軸方向側（投射レンズ３に対して離間した側）から見たペルチェユニット７１１Ａの斜視図である。
本実施形態は、前記第１実施形態に対して、図２２に示すように、ペルチェユニット７１１Ａを構成する放熱側熱伝導性部材７１１６の形状が異なるのみである。その他の構成は、前記第１実施形態と同様のものである。
【００９６】
放熱側熱伝導性部材７１１６は、図２２に示すように、前記第１実施形態で説明した放熱側熱伝導性部材７１１５と同様に板体７１１５Ａおよび複数の放熱側フィン部材７１１５Ｂを有し、放熱側熱伝導性部材７１１５に対してＺ軸方向に長い形状となるように形成されている。
より具体的に、本実施形態では、吸熱側熱伝導性部材７１１１および放熱側熱伝導性部材７１１６は、吸熱側熱伝導性部材７１１１の表面積をＡ1とし、放熱側熱伝導性部材７１１６の表面積をＡ2とし、ペルチェ素子７１１３の吸熱量をＱabとし、ペルチェ素子７１１３の放熱量をＱDとした場合に、以下の式（２）の関係を満たすように形成されている。
【００９７】
（数２）
Ａ1：Ａ2＝Ｑab：ＱD  ・・・（２）
【００９８】
なお、図２２に示す例では、Ｑab：ＱDが１：２の関係である場合を示している。
ここで、吸熱量Ｑab（Ｗ）は、一般的に、用いるペルチェ素子７１１３の特性値である接合対の数ｎ、ｎ型、ｐ型半導体素子の平均ゼーベック係数Ｓ（Ｖ／Ｋ）、内部抵抗Ｒ（Ω）、および熱貫流率Ｋ（Ｗ／Ｋ）を用いて、以下の式（３）で与えられる。
【００９９】
（数３）
Ｑab＝ｎＳＴCＩ−Ｉ2Ｒ／２−Ｋ（ＴH−ＴC）  ・・・（３）
【０１００】
上記式（３）において、Ｉはペルチェ素子７１１３に流す電流値（Ａ）であり、ＴCは吸熱面７１１３Ａの温度（Ｋ）であり、ＴＨは放熱面７１１３Ｂの温度（Ｋ）である。すなわち、吸熱量Ｑabは、ペルチェ効果による吸熱ｎＳＴCＩからジュール損失Ｉ2Ｒ／２および熱伝導損失Ｋ（ＴH−ＴC）を差し引いたものである。
また、放熱量ＱD（Ｗ）も同様に、以下の式（４）で与えられる。
【０１０１】
（数４）
ＱD＝ｎＳＴHＩ＋Ｉ2Ｒ／２−Ｋ（ＴH−ＴC）＝Ｑab＋Ｐ・・・（４）
【０１０２】
上記式（４）において、Ｐは、ペルチェ素子７１１３における吸熱面７１１３Ａと放熱面７１１３Ｂとの温度差ΔＴ（放熱面７１１３Ｂの温度ＴHから吸熱面７１１３Ａの温度ＴCを差し引いたもの）を所定の温度差にするために必要なペルチェ素子７１１３の消費電力（Ｗ）である。
【０１０３】
本実施形態では、吸熱面７１１３Ａの温度ＴC、放熱面７１１３Ｂの温度ＴＨ、吸熱面７１１３Ａと放熱面７１１３Ｂの温度差ΔＴ、ペルチェ素子７１１３に流す電流値Ｉ、およびペルチェ素子７１１３の消費電力Ｐを所定の値に設定し、上記式（３）、（４）の基本式を用いることで、吸熱量Ｑabおよび放熱量ＱDを算出する。そして、上記式（２）の関係式を満たすように、吸熱側熱伝導性部材７１１１の表面積Ａ1および放熱側熱伝導性部材７１１６の表面積Ａ2を設定している。
【０１０４】
上述した第２実施形態においては、前記第１実施形態と同様の効果の他、以下の効果がある。
上記式（４）に示すように、放熱面７１１３Ｂから放熱される放熱量ＱDは、吸熱面７１１３Ａによる吸熱量Ｑabにペルチェ素子７１１３への投入電力（消費電力）Ｐを加えたものであり、吸熱量Ｑabに比べて大きいものである。したがって、例えば、吸熱側熱伝導性部材の表面積を、放熱側熱伝導性部材の表面積以上に設定した場合には、放熱側熱伝導性部材を介して放熱面７１１３Ｂから放熱される比較的に大きい放熱量ＱDを外部の空気に良好に放熱することが難しい。そして、このような場合には、放熱側熱伝導性部材を冷却する冷却ファン７１４の回転数を増加させる必要があり、プロジェクタ１の低騒音化が図りにくい。
本実施形態では、吸熱側熱伝導性部材７１１１および放熱側熱伝導性部材７１１６は、上記式（２）の関係を満たすように形成されているので、放熱側熱伝導性部材７１１６を介して放熱面７１１３Ｂから放熱される比較的に大きい放熱量ＱDを外部の空気に良好に放熱できる。このため、放熱側熱伝導性部材７１１６を冷却する冷却ファン７１４の回転数を必要以上に増加させる必要がなく、プロジェクタ１の低騒音化が図れる。
【０１０５】
なお、本発明は前述の実施形態に限定されるものではなく、本発明の目的を達成できる範囲での変形、改良等は本発明に含まれるものである。
前記各実施形態では、複数の吸熱側フィン部材７１１１Ｂと複数の放熱側フィン部材７１１５Ｂとが平面視で互いに直交するようにそれぞれ延出していたが、平面視で互いに交差する方向にそれぞれ延出していれば、その角度は９０度に限らない。
【０１０６】
前記各実施形態では、段付ブロック７１１２が吸熱側熱伝導性部材７１１１および吸熱面７１１３Ａの間に介在配置された構成を説明したが、これに限らず、例えば、以下に示すように配置しても構わない。
図２３または図２４は、前記各実施形態の変形例を示す図である。具体的に、図２３は、＋Ｘ軸方向側から見たペルチェユニット７１１Ｂの分解斜視図である。図２４は、−Ｘ軸方向側から見たペルチェユニット７１１Ｂの分解斜視図である。
なお、図２３または図２４は、前記第１実施形態の構成を変形した構成であるが、前記第２実施形態の構成を図２３または図２４に示すように構成しても構わない。
例えば、図２３または図２４に示すペルチェユニット７１１Ｂのように、吸熱側熱伝導性部材７１１１と、熱伝達抑制部材７１１４と、ペルチェ素子７１１３と、段付ブロック７１１２と、放熱側熱伝導性部材７１１５とが、投射レンズ３側から順に積層配置された構成を採用しても構わない。すなわち、段付ブロック７１１２を、放熱側熱伝導性部材７１１５および放熱面７１１３Ｂの間に配設しても構わない。
【０１０７】
ここで、図２３または図２４に示す熱伝達抑制部材７１１４は、凹部７１１４Ａが省略された構成である。そして、ペルチェユニット７１１Ｂを組み立てた状態では、吸熱側熱伝導性部材７１１１の板体７１１１Ａと吸熱面７１１３Ａとが熱伝達可能に接続し、放熱面７１１３Ｂと段付ブロック７１１２の膨出部７１１２Ｂとが熱伝達可能に接続し、段付ブロック７１１２のブロック本体７１１２Ａと放熱側熱伝導性部材７１１５の板体７１１５Ａとが熱伝達可能に接続する。また、熱伝達抑制部材７１１４は、吸熱側熱伝導性部材７１１１の板体７１１１Ａを平面的に覆い、ペルチェ素子７１１３の外縁部分を平面的に覆う。すなわち、図２３または図２４の例では、熱伝達抑制部材７１１４は、段付ブロック７１１２や放熱側熱伝導性部材７１１５の熱が、ペルチェ素子７１１３の外縁部分や吸熱側熱伝導性部材７１１１に移動することを抑制している。
【０１０８】
また、例えば、吸熱側熱伝導性部材７１１１および吸熱面７１１３Ａの間、放熱面７１１３Ｂおよび放熱側熱伝導性部材７１１５（７１１６）の間の双方に段付ブロック７１１２をそれぞれ配置する構成を採用してもよい。
【０１０９】
前記第２実施形態では、上記式（２）を満たすように、放熱側熱伝導性部材７１１６の大きさを変更していたが、これに限らず、複数の吸熱側フィン部材７１１１Ｂおよび複数の放熱側フィン部材７１１５Ｂの数を調整しても構わない。
【０１１０】
前記各実施形態では、密閉構造内部に配置される光学部品として、光学装置４５および偏光変換素子４２３を採用したが、これに限らず、光学装置４５および偏光変換素子４２３のいずれか一方のみを密閉構造内部に配置する構成としてもよく、あるいは、光学装置４５および偏光変換素子４２３以外の他の光学部品を密閉構造内部に配置する構成としても構わない。
【０１１１】
前記各実施形態では、光源装置４１は、放電発光型の光源装置で構成していたが、これに限らず、レーザダイオード、ＬＥＤ（Light Emitting Diode）、有機ＥＬ(Electro Luminescence)素子、シリコン発光素子等の各種固体発光素子を採用してもよい。
また、前記各実施形態では、光源装置４１を１つのみ用い色分離光学系４３にて３つの色光に分離していたが、色分離光学系４３を省略し、３つの色光をそれぞれ射出する３つの前記固体発光素子を光源装置として構成してもよい。
前記各実施形態では、色合成光学装置としてクロスダイクロイックプリズム４５３を採用していたが、これに限らず、ダイクロイックミラーを複数用いることで各色光を合成する構成を採用してもよい。
【０１１２】
前記各実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、液晶以外の光変調装置を用いてもよい。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【０１１３】
前記各実施形態では、本発明の冷却装置７１をプロジェクタに搭載する構成を説明したが、これに限らず、プロジェクタ以外のパーソナルコンピュータ等の他の電子機器に搭載する構成を採用しても構わない。
【０１１４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１１５】
本発明の冷却装置は、吸熱効率を向上できるため、プレゼンテーションやホームシアタに用いられるプロジェクタの冷却装置として利用できる。
【図面の簡単な説明】
【０１１６】
【図１】第１実施形態におけるプロジェクタの外観を示す斜視図。
【図２】前記実施形態におけるロアーケースおよびフロントケースを下方側から見た斜視図。
【図３】前記実施形態におけるプロジェクタの内部構成を示す図。
【図４】前記実施形態におけるプロジェクタの内部構成を示す図。
【図５】前記実施形態におけるプロジェクタの内部構成を示す図。
【図６】前記実施形態におけるプロジェクタの内部構成を示す図。
【図７】前記実施形態における光学ユニットの構成を示す図。
【図８】前記実施形態における光学ユニットの構成を示す図。
【図９】前記実施形態における光学ユニットの構成を示す図。
【図１０】前記実施形態における密閉循環空冷ユニットの構成を示す図。
【図１１】前記実施形態における密閉循環空冷ユニットの構成を示す図。
【図１２】前記実施形態における密閉循環空冷ユニットの構成を示す図。
【図１３】前記実施形態における密閉循環空冷ユニットの構成を示す図。
【図１４】前記実施形態における密閉循環空冷ユニットの構成を示す図。
【図１５】前記実施形態における冷却装置の構成を示す斜視図。
【図１６】前記実施形態におけるペルチェユニットの構成を示す図。
【図１７】前記実施形態におけるペルチェユニットの構成を示す図。
【図１８】前記実施形態におけるペルチェユニットの構成を示す図。
【図１９】前記実施形態における放熱側熱伝導性部材に対する冷却ファンの配置位置を示す平面図。
【図２０】前記実施形態における外部側ダクト部材を示す斜視図。
【図２１】前記実施形態における効果を説明するための図。
【図２２】第２実施形態におけるペルチェユニットの構成を示す図。
【図２３】前記各実施形態の変形例を示す図。
【図２４】前記各実施形態の変形例を示す図。
【符号の説明】
【０１１７】
１・・・プロジェクタ、４５・・・光学装置（光学部品）、４６・・・光学部品用筐体、７１・・・冷却装置、７２・・・循環ファン、７３・・・流路前段側ダクト部材、７４・・・流路後段側ダクト部材、４２３・・・偏光変換素子（光学部品）、４６１２Ｒ，４６１２Ｇ，４６１２Ｂ，４６１２Ｐ・・・開口部（流入口）、４６２１・・・切り欠き（流出口）、４６２２・・・開口部（流出口）、７１２・・・吸熱側ダクト、７１３・・・放熱側ダクト、７１４・・・冷却ファン、７１１１・・・吸熱側熱伝導性部材、７１１１Ｂ・・・吸熱側フィン部材、７１１２・・・段付ブロック（スペーサ）、７１１３・・・ペルチェ素子（熱電変換素子）、７１１３Ａ・・・吸熱面、７１１３Ｂ・・・放熱面、７１１４・・・熱伝達抑制部材、７１１４Ａ・・・凹部、７１１４Ｂ・・・開口部、７１１５，７１１６・・・放熱側熱伝導性部材、７１１５Ｂ・・・放熱側フィン部材、Ａf・・・ファン回転軸、Ｏ1・・・中心位置。
【図１】
2007334042.tif 000004
【図２】
2007334042.tif 000005
【図３】
2007334042.tif 000006
【図４】
2007334042.tif 000007
【図５】
2007334042.tif 000008
【図６】
2007334042.tif 000009
【図７】
2007334042.tif 000010
【図８】
2007334042.tif 000011
【図９】
2007334042.tif 000012
【図１０】
2007334042.tif 000013
【図１１】
2007334042.tif 000014
【図１２】
2007334042.tif 000015
【図１３】
2007334042.tif 000016
【図１４】
2007334042.tif 000017
【図１５】
2007334042.tif 000018
【図１６】
2007334042.tif 000019
【図１７】
2007334042.tif 000020
【図１８】
2007334042.tif 000021
【図１９】
2007334042.tif 000022
【図２０】
2007334042.tif 000023
【図２１】
2007334042.tif 000024
【図２２】
2007334042.tif 000025
【図２３】
2007334042.tif 000026
【図２４】
2007334042.tif 000027